(57)【要約】【課題】巻き取り束ねて小さく収納できる電気コード等の可撓性線状体およびホース等の可撓性管体の収納具に、使用時において捩れや縒れ及び結び目ができることにより絡まりが生じることなく伸長ができる機能を持たせる。【解決手段】本体１１は回転自在に結合された本体上部１２及び本体下部１３によって構成され、該本体上部１２及び該本体下部１３の両端からは中央に向けて回動方向に対して略９０度の向きに切込み３１が設けられており、該切り込み幅は収納対象物の直径および／または最大幅の１．０以上１．５倍以下であることを特徴とする。【選択図】図５
2013091553.tif 000002
【特許請求の範囲】
【請求項１】
本体（１１）は回動自在に結合された本体上部（１２）と本体下部（１３）によって構成され、該本体上部（１２）および該本体下部（１３）の両端からは中央に向けて回動方向に対して略９０度の向きに切込み（３１）が設けられ、該切り込み（３１）の切り込み幅は収納対象物の直径および／または最大幅の１倍以上１．５倍以下であることを特徴とする収納具。
【請求項２】
請求項１に記載された収納具において、本体（２１）は本体上部（２２）と本体下部（２３）の間に本体中部（２４）を備え、該本体上部（２２）と本体中部（２４）および本体中部（２４）と本体下部（２３）が回動自在に結合され、該本体上部（２２）および該本体下部（１２）の両端からは中央に向けて回動方向に対して略９０度の向きに切込み（３１）が設けられ、該切り込み（３１）の切り込み幅は収納対象物の直径および／または最大幅の１倍以上１．５倍以下であることを特徴とする収納具。
【発明の詳細な説明】
【技術分野】
【０００１】
本発明は延長コード等を非使用時に巻取り収納し、延長コード等を使用に際して絡まないように伸長することが可能な延長コードまたはロープ等の可撓性線状体及びホース等の可撓性管体の収納具に関するものである。
【背景技術】
【０００２】
従来延長コードまたはロープ等の可撓性線状体およびホース等の可撓性管体は、非使用時には適宜曲折または巻き取って、これを束ねて収納している。
【０００３】
使用時に際しては、延長コードまたはロープ等の可撓性線状体またはホース等の可撓性管体を伸長する必要があるが、この時捻じれや縒れおよび結び目ができることにより絡まりが生じる場合が多く、これを矯正しながら伸長する必要があった。
【０００４】
前記の絡まりが生じる原因は、可撓性を有する長尺物であるために捻じれや縒れが無秩序に生じること、また巻線の中に先端部がくぐることにより結び目が生じると考えられる。
【０００５】
そこで、近年では電気コードの絡まり防止器具が紹介されている。本発明に関連する公知技術として次の特許文献１、２、及び３を挙げることができる。
【０００６】
【特許文献１】特開２００４−１０４９８０号公報
【特許文献２】特開２００７−８５９１号公報
【特許文献３】特開２００９−２８６６２９号公報
【発明の開示】
【発明が解決しようとする課題】
【０００７】
特許文献１に記載された延長電気コードの絡まり防止束線バンドは、延長電気コードを巻線にしながらバンドについているホルダーに順次連続して嵌め込んでいくことで束線するため、電気コードの収納時及び伸長時に煩雑な作業を伴う。
【０００８】
特許文献２に記載された折りたためる電気コードは、かたく曲がらない電気コードに複数の可動部分をつけることを特徴としているため、製造コストが高く普及の障害となる可能性がある。
【０００９】
特許文献３に記載された可撓性線状体は、収納時に本体にしるされた指標同士を合わせて巻き取ることが必要で、これには多少の煩雑な作業を伴う。
【００１０】
本発明は、このような点を鑑みてなされたものである。その目的は、非使用時に小さく収納し、使用に際して本体が絡まないように伸長することが可能な延長コードまたはロープ等の可撓性線状体およびホース等の可撓性管体の収納対象物の収納具を提供することにある。
【課題を解決するための手段】
【００１１】
本体１１は回動自在に結合された本体上部１２と本体下部１３によって構成され、該本体上部及び該本体下部の両端からは中央に向けて回動方向に対して略９０度の向きに切込み３１が設けられ、前記切り込み３１の切り込み幅は収納対象物の直径および／または最大幅の１倍以上１．５倍以下であることを特徴とする。
【００１２】
また、本体２１は本体上部２２と本体下部２３の間に本体中部２４を備え、該本体上部２２と本体中部２４および本体中部２４と本体下部２３が回動自在に結合され、該本体上部及び該本体下部の両端からは中央に向けて回動方向に対して略９０度の向きに切込み３１が設けられ、前記切り込み３１の切り込み幅は収納対象物の直径または最大幅の１倍以上１．５倍以下であることを特徴とする。
【発明の効果】
【００１３】
以上説明したように本発明によれば、延長コードやテーブルタップ、ロープ等の可撓性線状体またはホース等の可撓性管体の収納対象物を非使用時に収納する際に本体１１の両端から中央部に向けて設けてある本体上部１２の切り込み３１と本体下部１３の切り込み３１の中に収納対象物を巻き込んでゆく、この時収納対象物の伸長する側から巻始め、または伸長側留部３２がある場合は収納対象物の一部を伸長側留部３２に固定し巻始め、収納対象物を巻き込み終わる元側留部３３がある場合は収納対象物の元側の一部を元側留部３３に固定し本体に収納する。
【００１４】
収納対象物の使用時においては、伸長側留部３２および／または元側留部３３がある場合は伸長側留部３２および／または元側留部３３から収納対象物を解放し、本体上部１２と本体下部１３は回動自在に結合されているためこれを１８０度まで折り曲げることが可能であり、これを適当な位置まで折り曲げると、収納対象物は本体１１の上方に向けて取り出す事が可能となる。
【００１５】
本体上部１２及び本体下部１３の切り込み３１の切り込み幅は、延長コードやテーブルタップ、ロープ等の可撓性線状体またはホース等の可撓性管体である収納対象物の直径および／または最大幅の１．０以上から１．５倍以下である。この切込み幅によって収納対象物は周回毎に乱れずに順次重なって巻き取ることが可能となり、周回を重ねる毎に巻き取り長さは漸次おおよそに長くなる。
【００１６】
前記のことから、収納対象物は本体から取り出すと、伸長側の端を先頭とするとぐろ巻きとなっているので、使用のために収納対象物を伸長するに際して巻取りの状態が乱れずに順次ほぐれることから、収納対象物が絡まることがなく伸長が可能となる。
【００１７】
本発明の本体の材質として各種の合成樹脂、アルミ等の軽金属及び木材があげられる。また本発明は、構成要素が少なく単純な構造のため安価に提供することができる。    
【発明を実施するための最良の形態】
【００１８】
以下、本発明の実施の形態を図面に基づき詳細に説明する。
【００１９】
図１に示すように、切り込み３１は回動軸４１と平行方向に切り込まれており、その先端部は開口部が開いているテーパー形状であると巻き取る際に切り込み３１にコード等を導き易い。また、本体１１の伸長時において、回動を止めるためのストッパー３４を設けてもよい。また、伸長側留部３２および／または元側留部３３は穴形状の他にコード等を挟持する機能を持つものであってもよい。
【００２０】
図２に示すように、本体上部１２に対して本体下部１３は長さが略２分の１であってもよく、回動できる向きは本体１１の伸長時から図に示される一方向のみである。また回動中心は本体からオフセットされてあることも可能で、本体の折り曲げの際に１８０度の回動が可能となる。
【００２１】
図３に示すように、本体２１は本体上部２２、本体下部２３及び本体中部２４で構成され、切り込み３１は回動軸４１と平行方向に切り込まれており、切り込み３１の先端は開口部が開いているテーパー形状であると巻き取る際に切り込み３１にコード等を導き易い。また、本体２１の伸長時において、回動を止めるためのストッパー３４を設けてもよい。また、伸長側留部３２および／または元側留部３３は穴形状の他にコード等を挟持する機能を持つものも可能である。
【００２２】
図４に示すように、回動できる向きは本体２１の伸長時から図に示される本体上部２２と本体下部２３が向かい合って折れる一方向のみである。本体上部２２と本体中部２４および本体中部２４と本体下部２３のそれぞれの回動中心は本体からオフセットされてあることも可能である。
【００２３】
図５に示すように、伸長側留め部３２に使用時に延長コード５１の伸長する側を留めて本体１１に巻き取り、巻き取り終わりにおいて元側留め部３３で延長コード５１を留める。
【００２４】
図６に示すように、延長コード５１を使用するために本体１１からはずす際には、伸長側留め部３２から延長コード５１の伸長する側をはずし元側留め部３３から延長コード５１をはずし、ストッパー３４を解放し本体上部１２と本体下部１３を回動させる。
【００２５】
本発明の第二の実施形態においても、図５及び図６に示す本発明の第一の実施形態の場合に準じる使用方法である。
【図面の簡単な説明】
【００２６】
【図１】本発明の第一の実施の形態に係る収納具の斜視図である。
【図２】本発明の第一の実施の形態に係る本体１１を折り曲げた状態の収納具の側面図である。
【図３】本発明の第二の実施の形態に係る収納具の斜視図である。
【図４】本発明の第二の実施の形態に係る本体２１を折り曲げた状態の収納具の側面図である。
【図５】本発明の第一の実施の形態の使用時においての延長コード５１を収納した状態の収納具の斜視図である。
【図６】本発明の第一の実施の形態の使用時においての延長コード５１を収納し、本体１１の折り曲げた状態の収納具の斜視図である。
【符号の説明】
【００２７】
11,21,    本体
12,22,    本体上部
13,23,    本体下部
24,    本体中部
31,    切り込み
32,    伸長側留部
33,    元側留部
34,    ストッパー
41,    回動軸
51,    延長コード
【図１】
2013091553.tif 000003
【図２】
2013091553.tif 000004
【図３】
2013091553.tif 000005
【図４】
2013091553.tif 000006
【図５】
2013091553.tif 000007
【図６】
2013091553.tif 000008